(57)【要約】【課題】警察官が犯人逮捕のときの逮捕術の練習用として好適に使用し耐えるように改良された逮捕術用の警棒を提供する。【解決手段】竹を縦に裂いて形成された複数本の割竹２１を、内部に衝突防止用のゴムからなる内芯２２を挿入した状態で端面視で環状になるように組み合わせて形成された警棒本体２０と、この警棒本体２０の先端に被せられる袋状の先革２４と、警棒本体２０の基端側の柄部に被せられる袋状の柄革２５と、警棒本体２０における柄部と刃部との境界位置に柄革２５の上から嵌め込まれる鍔部材４０とを備えて構成され、柄部における鍔部材４０の近傍位置には、手首を通し得る環状紐部材５０が取り付けられている。【選択図】図１
0003142136.tif 000002
【実用新案登録請求の範囲】
【請求項１】
複数本の割竹を組み合わせて形成された警棒本体と、
前記警棒本体における柄部と刃部との境界位置に柄革の上から嵌め込まれる鍔とを備えて構成され、
前記柄部における鍔の近傍位置には、手首を通し得る環状紐部材が取り付けられていることを特徴とする逮捕術用の警棒。
【請求項２】
前記警棒本体には、全体的に細長い袋状の警棒袋が被せられ、前記鍔および環状紐部材は、警棒袋の上から警棒本体に装着されていることを特徴とする請求項１記載の逮捕術用の警棒。
【請求項３】
前記環状紐部材は、前記柄部に着脱可能に巻き付けられるバンドと、このバンドに取り付けられた環状紐とを備えていることを特徴とする請求項１または２記載の逮捕術用の警棒。
【請求項４】
前記バンドには、一方の端部の表面側と、他方の端部の裏面側とにそれぞれ互いに係着し得る係着テープが取り付けられていることを特徴とする請求項３記載の逮捕術用の警棒。
【請求項５】
前記係着テープは、多数の鈎状突起が突設された雄係着テープと、前記雄係着テープの鈎状突起が係着されるループ状突起が突設された雌係着テープとからなり、前記雄係着テープは、前記バンドの裏面側に取り付けられているとともに、前記雌係着テープは、前記バンドの表面側に取り付けられていることを特徴とする請求項４記載の逮捕術用の警棒。
【考案の詳細な説明】
【技術分野】
【０００１】
本考案は、主に警察官が犯人を逮捕するときの逮捕術の練習に使用するのに適した逮捕術用の警棒に関するものである。
【背景技術】
【０００２】
従来、竹刀を模して製作された警棒が知られている。かかる警棒は、竹を縦に裂いて形成された複数本の割竹を、内部に衝突防止用のゴムなどからなる内芯を挿入した状態で端面視で環状になるように組み合わせて警棒本体とし、この警棒本体の先端に袋状の先革を被せるとともに、基端側の柄の部分に袋状の柄革を被せ、さらに柄の部分と刃の部分との境界位置に柄革の上から鍔を嵌め込むことによって形成されているのが一般的である。なお、警棒本体に丈夫な布製の細長い袋を被せたものもある。
【０００３】
因みに、竹刀に関しては、例えば、特許文献１〜６に記載されたものが知られている。
【特許文献１】登録実用新案第３０３０２７０号公報
【特許文献２】特開平０９−０１０３７１号公報
【特許文献３】特開２００３−３０５１４７号公報
【特許文献４】特開２００４−２４９０６５号公報
【特許文献５】特開２００５−３０５０８２号公報
【特許文献６】特開２００６−１０９９０８号公報
【考案の開示】
【考案が解決しようとする課題】
【０００４】
ところで、逮捕術の練習を行うに際しては、警棒として竹刀を模したものが使用されるのが一般的である。その理由は、竹刀を模した警棒は弾力性に富む竹を材料として使用された強靱なものであるとともに、軽量であるため扱い易く、しかも相手方に与えるダメージが警棒よりも少ないため、練習用として適していると考えられるからである。
【０００５】
しかしながら、従来の竹刀を模した警棒は、特許文献１〜６に記載されているような、いずれも剣道の練習用や試合用のものと略同一構成のものであるため、逮捕術を練習するためのものとしては改良の余地がある。
【０００６】
本考案は、上記のような状況に鑑みなされたものであって、逮捕術の練習用として従来の竹刀を模した警棒に比べより好適に使用することができる改良された逮捕術用の警棒を提供することを目的としている。
【課題を解決するための手段】
【０００７】
請求項１記載の考案は、複数本の割竹を組み合わせて形成された警棒本体と、前記警棒本体における柄部と刃部との境界位置に柄革の上から嵌め込まれる鍔とを備えて構成され、前記柄部における鍔の近傍位置には、手首を通し得る環状紐部材が取り付けられていることを特徴とする逮捕術用の警棒である。
【０００８】
かかる構成によれば、逮捕術の練習の際に環状紐部材に手首を通して警棒の柄部を把持するようにすることにより、状況に応じて柄部から手を離したような場合であっても、手首を通した環状紐部材により警棒が手首から落ちることが防止されるため、再度警棒を必要とする状況になった場合に警棒を探し回らなければならなくなるような不具合が生じることはなく、必要に応じて常に即座に警棒を使用することができ、より好適に練習の用に供される。
【０００９】
請求項２記載の考案は、請求項１記載の考案において、前記警棒本体には、全体的に細長い袋状の警棒袋が被せられ、前記鍔および環状紐部材は、警棒袋の上から警棒本体に装着されていることを特徴とするものである。
【００１０】
かかる構成によれば、警棒本体に警棒袋が被せられていることにより、警棒本体の構成要素である複数本の割竹がバラバラになるのがより確実に防止されるとともに、打ち込んだときに相手方の練習着や皮膚が割竹間に挟まり込むのが防止される。
【００１１】
請求項３記載の考案は、請求項１または２記載の考案において、前記環状紐部材は、前記柄部に着脱可能に巻き付けられるバンドと、このバンドに取り付けられた環状紐とを備えていることを特徴とするものである。
【００１２】
かかる構成によれば、環状紐部材は、その構成要素であるバンドを介して警棒の柄部に着脱されるため、環状紐を柄部に結着その他で直接取り付ける場合に比較し、取り付け操作が容易になるとともに、取り付けた状態が美麗になる。
【００１３】
請求項４記載の考案は、請求項３記載の考案において、前記バンドには、一方の端部の表面側と、他方の端部の裏面側とにそれぞれ互いに係着し得る係着テープが取り付けられていることを特徴とするものである。
【００１４】
かかる構成によれば、バンドは、係着テープを介して警棒の柄部に対し着脱されるため、当該バンドの柄部に対する着脱操作が容易になる。
【００１５】
請求項５記載の考案は、請求項４記載の考案において、前記係着テープは、多数の鈎状突起が突設された雄係着テープと、前記雄係着テープの鈎状突起が係着されるループ状突起が突設された雌係着テープとからなり、前記雄係着テープは、前記バンドの裏面側に取り付けられているとともに、前記雌係着テープは、前記バンドの表面側に取り付けられていることを特徴とするものである。
【００１６】
かかる構成によれば、バンドを警棒の柄部に巻き付けることにより雌係着テープがバンドの表面側に位置した状態になるため、この状態でバンドの裏面側の雄係着テープを押し付けることにより、当該雄係着テープの鈎状突起が、雌係着テープのループ状突起に係着し、これによってバンドが警棒の柄部に装着される。
【００１７】
そして、通常、雄係着テープの鈎状突起は、ある程度硬質の合成樹脂材料で形成されている一方、雌係着テープのループ状突起は軟質の合成樹脂材料によって形成されているため、バンドを警棒の柄部に装着するに際しては、硬い鈎状突起を、軟らかいループ状突起に向けて押し付けることになり、逆の場合に比較してより良好な係着状態を得ることができる。
【考案の効果】
【００１８】
本考案に係る逮捕術用の警棒によれば、逮捕術の練習時に模擬格闘を行うに際し、環状紐部材に手首を通して警棒の柄部を把持した状態で、例えば拳銃を抜くような練習があった場合に柄部から手を離しても、環状紐部材が手首に掛かっているため、警棒が手首から落ちることを確実に防止することができる。
【００１９】
従って、警棒から一旦手を離しても、再度警棒を必要とする状況になった場合に警棒を探し回らなければならなくなるような不具合が生じることはなく、必要に応じて常に即座に警棒を使用することができるため、逮捕術の練習における当該警棒の貢献度を向上させることができる。
【考案を実施するための最良の形態】
【００２０】
以下、図１〜図５を基に、本考案に係る逮捕術用の警棒１０について説明する。図１は、本考案に係る警棒の一実施形態を示す分解斜視図であり、図２は、図１における割竹が組み合わされて組合せ筒体が形成された状態を示す斜視図である。また、図３は、警棒本体が形成された状態を示す斜視図であり、図４は、図３に示す警棒本体に警棒袋が被せられ、かつ、鍔部材が装着された状態示す斜視図である。さらに図５は、警棒の組み立て斜視図である。
【００２１】
まず、図１および図２に示すように、警棒１０は、その主要な構成要素である警棒本体２０と、この警棒本体２０に全体的に被せられる警棒袋３０と、この警棒袋３０が被せられた警棒本体２０に外嵌される鍔部材４０と、警棒袋３０が被せられた警棒本体２０の柄部に着脱自在に装着される環状紐部材５０とを備えて構成されている。
【００２２】
前記警棒本体２０は、長さ寸法が６０〜７０ｃｍに切り揃えられた原料の竹を、１０〜１５ｍｍの幅寸法で縦割りすることによって形成された複数本（本実施形態においては６本）の割竹２１と、前記複数本の割竹２１が端面視で環状になるように組み合わされて形成された組合せ筒体２１０内に内装される内芯２２と、前記組合せ筒体２１０の各端部にそれぞれ内嵌される一対の栓部材２３と、組合せ筒体２１０の切っ先側（図１の紙面の左側）に外嵌される先革２４と、組合せ筒体２１０の柄側（図１の紙面の右側）に外嵌される柄革２５とを備えている。
【００２３】
前記割竹２１は、断面形状が図１に示すように竹皮側を表側にして扇状に設定されている。従って、各割竹２１のそれぞれの側面を互いに当接させるようにして連設することにより、図２に示すように、断面形状が正六角形状の組合せ筒体２１０が形成される。
【００２４】
前記内芯２２は、警棒１０を対象物に打ち付けたときに、割竹２１同士が互いにぶつかり合わないようにするための緩衝材である。かかる内芯２２は、本実施形態においては、ウレタンフォーム等の発泡性合成樹脂によって形成され、長さ寸法が割竹２１のそれより若干短めに設定されている。
【００２５】
前記栓部材２３は、組合せ筒体２１０の保形性を確保するべく当該組合せ筒体２１０の各端部に嵌入されるものである。かかる栓部材２３は、硬質の合成樹脂材料によって形成されており、組合せ筒体２１０の内径寸法と略等しい栓部材本体２３１と、この栓部材本体２３１の一方の端部に同心で設けられた栓部材本体２３１より大径で、かつ、組合せ筒体２１０の外径より小径の頭部２３２とからなっている。
【００２６】
前記先革２４は、組合せ筒体２１０の切っ先部分に摺接状態で被せるものであり、皮革を袋状に縫製処理することによって形成されている。かかる先革２４には、その開口近傍に紐２６を通すための一対の鳩目２４１が設けられている。また、柄革２５は、組合せ筒体２１０の柄部分に摺接状態で被せるものであり、先革２４と同様に皮革を袋状に縫製処理することによって形成されている。かかる柄革２５にもその開口近傍に紐２６を通すための一対の鳩目２５１が設けられている。
【００２７】
そして、各割竹２１の切っ先側を栓部材本体２３１の周面に沿わせて並設した状態で頭部２３２を介して切っ先部分に先革２４を被せるとともに、各割竹２１の柄側を栓部材本体２３１の周面に沿わせて並設した状態で頭部２３２を介して柄部分に柄革２５を被せた上で、先革２４の鳩目２４１および柄革２５の鳩目２５１に紐２６を差し通して締結することにより、図３に示すような警棒本体２０が完成する。
【００２８】
前記警棒袋３０は、全体的に警棒本体２０に被せるものであり、帆布等の強靱な織製品に所定の縫製処理を施すことによって形成されている。かかる警棒袋３０の開口部分には、開口縁部が折り返された状態で周方向に縫製処理することによって形成された紐通し部３１が設けられ、この紐通し部３１に紐３２が通されている。
【００２９】
そして、かかる警棒袋３０に切っ先側から警棒本体２０を挿入していき、柄側が警棒袋３０内に収まった状態で紐３２を絞った後に結着することにより、警棒本体２０が、図４に示すように、警棒袋３０に収納された状態になる。
【００３０】
前記鍔部材４０は、警棒本体２０における柄部と刃部との境界部分に外嵌される環状の鍔本体４１と、この鍔本体４１を挟持した状態で警棒本体２０の前後に外嵌される一対の鍔挟持環４２とからなっている。
【００３１】
前記鍔本体４１は、硬質の発泡性合成樹脂によって形成されている。かかる鍔本体４１の中心位置には、警棒本体２０の外径寸法より僅かに小さい内径寸法を有する装着孔４１１が穿設されている。
【００３２】
前記鍔挟持環４２は、天延ゴムまたは合成ゴムによって形成されている。かかる鍔挟持環４２の中心位置には、警棒本体２０の外径寸法より相当小さい内径寸法を有する装着孔４２１が穿設されている。
【００３３】
そして、まず１つの鍔挟持環４２を、警棒袋３０の上から警棒本体２０における刃部と柄部との境界位置より刃部側へ寄った位置にまで圧入し、引き続き鍔本体４１を柄部側から警棒本体２０に外嵌して刃側の鍔挟持環４２に当接するまで押し込み、最後にもう１つの鍔挟持環４２を柄部の側から鍔本体４１へ到達するまで警棒本体２０に圧入していくことにより、鍔部材４０が、図３に示すように、警棒本体２０に装着された状態になる。
【００３４】
そして、鍔部材４０が警棒本体２０へ装着された状態で鍔本体４１は、径方向に弾性変形して拡径した鍔挟持環４２の装着孔４２１の孔縁によって締め付けられているため、警棒本体２０の長手方向に向かう移動が規制され、これによって安定した位置設定が行われる。従って、警棒１０の使用中に鍔部材４０が動いてしまうような不具合が生じることはない。
【００３５】
前記環状紐部材５０は、警棒本体２０の柄部に巻き付けられるバンド５１と、このバンド５１に取り付けられた環状紐５２とを備えている。前記バンド５１は、厚手の布テープの２枚が積層され縫製されることによって形成され、長さ寸法が警棒本体２０の外周長より長く設定されている。バンド５１には、係着テープ５１０が取り付けられている。かかる係着テープ５１０は、バンド５１の一方の端部の表面側に逢着された、多数のループ状突起が植設されてなる雌係着テープ５１１と、バンド５１の他方の端部の裏面側に逢着された、多数の鈎状突起が植設されてなる雄係着テープ５１２とからなっている。
【００３６】
従って、環状紐部材５０は、バンド５１を警棒本体２０の柄部に巻き付けた状態で、その雄係着テープ５１２を雌係着テープ５１１へ押し付けることにより、雄係着テープ５１２の鈎状突起が雌係着テープ５１１のループ状突起に係合することで警棒本体２０に装着される。
【００３７】
また、雌係着テープ５１１をバンド５１の表面側に設けるとともに、雄係着テープ５１２をバンド５１の裏面側に設けることによって、バンド５１を警棒本体２０に装着するに際し、雄係着テープ５１２を雌係着テープ５１１へ押し付けることになるが、雄係着テープ５１２の鈎状突起は、雄係着テープ５１２の基材に安定した状態で立設されているのに対し、雌係着テープ５１１のループ状突起は、変形しやすい柔軟な状態で設けられているため、雄係着テープ５１２を雌係着テープ５１１へ押し付けることによって両者を互いに良好な状態で係合させることができる。
【００３８】
前記環状紐５２は、警棒１０の使用者が手首を通すためのものである。すなわち、警棒本体２０の柄部を把持するに先立ち、手首がこの環状紐５２に通される。かかる環状紐５２は、１本の紐の両端が互いに当接された状態で、バンド５１の構成要素である２枚の布テープ間に挟持させ、縫製処理を施すことによってバンド５１に装着されている。
【００３９】
以上詳述したように、本考案に係る逮捕術用の警棒１０は、竹を縦に裂いて形成された複数本の割竹２１を、内部に衝突防止用のゴムからなる内芯２２を挿入した状態で端面視で環状になるように組み合わせて形成された警棒本体２０と、この警棒本体２０の先端に被せられる袋状の先革２４と、警棒本体２０の基端側の柄部に被せられる袋状の柄革２５と、警棒本体２０における柄部と刃部との境界位置に柄革２５の上から嵌め込まれる鍔部材４０とを備えて構成され、柄部における鍔部材４０の近傍位置には、手首を通し得る環状紐部材５０が取り付けられている。
【００４０】
かかる構成の警棒１０によれば、逮捕術の練習のために模擬犯人と練習のために模擬的な格闘を行うに際し、環状紐部材５０に手首を通して警棒１０の柄部を把持するようにすることにより、例えば拳銃を抜く練習を行うべく柄部から手を離したような場合であっても、環状紐部材５０が手首に掛かっていることにより警棒１０が手首から落ちることを確実に防止することができる。
【００４１】
従って、警棒１０から一旦手を離しても、再度警棒１０を必要とする状況になった場合に警棒１０を探し回らなければならなくなるような不具合が生じることはなく、必要に応じて常に即座に警棒１０を使用することができるため、犯人逮捕のための逮捕術の練習における警棒１０の貢献度を向上させることができる。
【００４２】
また、警棒本体２０には、全体的に細長い袋状の警棒袋３０が被せられ、鍔部材４０および環状紐部材５０は、警棒袋３０の上から警棒本体２０に装着されているため、警棒本体２０の構成要素である複数本の割竹２１がバラバラになるのがより確実に防止されるとともに、打ち込んだときに相手方の練習着や皮膚が割竹２１間に挟まり込むような不都合の発生を確実に防止することができる。
【００４３】
そして、環状紐部材５０は、その構成要素であるバンド５１を介して警棒１０の柄部に着脱されるため、環状紐５２を柄部に結着その他で直接取り付ける場合に比較し、取り付け操作を容易に行うことができるとともに、取り付けた状態をデザイン的に美麗にすることができる。
【００４４】
また、バンド５１には、一方の端部の表面側に雌係着テープ５１１が設けられる一方、他方の端部の裏面側に雄係着テープ５１２が取り付けられているため、当該バンド５１の警棒本体２０の柄部に対する着脱操作が容易になる。
【００４５】
さらに、雄係着テープ５１２は、バンド５１の裏面側に取り付けられているとともに、雌係着テープ５１１は、バンド５１の表面側に取り付けられているため、バンド５１を警棒１０の柄部に巻き付けることにより雌係着テープ５１１がバンド５１の表面側に位置した状態になり、この状態でバンド５１の裏面側の雄係着テープ５１２を押し付けることにより、当該雄係着テープ５１２の鈎状突起が、雌係着テープ５１１のループ状突起に係着し、これによってバンド５１が警棒１０の柄部に装着される。
【００４６】
そして、通常、雄係着テープ５１２の鈎状突起は、ある程度硬質の合成樹脂材料で形成されている一方、雌係着テープ５１１のループ状突起は軟質の合成樹脂材料によって形成されているため、バンド５１を警棒１０の柄部に装着するに際しては、硬い鈎状突起を、軟らかいループ状突起に向けて押し付けることになり、逆の場合に比較してより良好な係着状態を得ることができる。
【００４７】
本考案は、上記の実施形態に限定されるものではなく、以下の内容をも包含するものである。
【００４８】
（１）上記の実施形態においては、警棒本体２０の構成要素である割竹２１は、６本が採用されているが、本考案は、割竹２１が６本であることに限定されるものではなく、６本未満であってもよいし、６本を超えてもよい。
【００４９】
（２）上記の実施形態においては、警棒１０は、警棒本体２０に警棒袋３０が被せられることによって形成されているが、本考案は、警棒袋３０が採用されることに限定されるものではなく、特に警棒本体２０に警棒袋３０を被さなくてもよい。
【００５０】
（３）上記の実施形態においては、環状紐５２を警棒本体２０に取り付けるためにバンド５１が採用されているが、特にバンド５１を介することなく、環状紐５２を警棒袋３０に逢着するなどして警棒１０に直接取り付けてもよい。
【００５１】
（４）上記の実施形態においては、バンド５１を警棒本体２０に取り付けるために雌係着テープ５１１および雄係着テープ５１２からなる係着テープ５１０が採用されているが、かかる係着テープ５１０に代えてバックル等の金具を採用してもよい。
【００５２】
（５）上記の実施形態においては、警棒１０として竹刀を模したものが採用されているが、本考案は、警棒１０が竹刀を模したものであることに限定されるものではなく、通常の木製の警棒より若干軟らかい材料で製造された、いわゆるソフト警棒であってもよい。
【図面の簡単な説明】
【００５３】
文脈
【図１】本考案に係る逮捕術用の警棒の一実施形態を示す分解斜視図である。
【図２】図１における割竹が組み合わされて組合せ筒体が形成された状態を示す斜視図である。
【図３】警棒本体が形成された状態を示す斜視図である。
【図４】図３に示す警棒本体に警棒袋が被せられ、かつ、鍔部材が装着された状態示す斜視図である。
【図５】警棒の組み立て斜視図である。
【符号の説明】
【００５４】
１０  警棒                    ２０  警棒本体
２１  割竹                    ２１０  筒体
２２  内芯                    ２３  栓部材
２３１  栓部材本体            ２３２  頭部
２４  先革                    ２４１  鳩目
２５  柄革                    ２５１  鳩目
２６  紐                      ３０  警棒袋
３１  紐通し部                ３２  紐
４０  鍔部材                  ４１  鍔本体
４１１  装着孔                ４２  鍔挟持環
４２１  装着孔                ５０  環状紐部材
５１  バンド                  ５１０  係着テープ
５１１  雌係着テープ          ５１２  雄係着テープ
５２  環状紐
【図１】
0003142136.tif 000003
【図２】
0003142136.tif 000004
【図３】
0003142136.tif 000005
【図４】
0003142136.tif 000006
【図５】
0003142136.tif 000007